(57)【特許請求の範囲】
【請求項１】
手持ち式の電気器具であって、
本体と、
前記本体に連結された第１の端部、及び、流体入口を含む第２の端部を有するハンドルと、
前記流体入口から前記ハンドルの中を通って前記本体に向かう流体通路と、
前記流体通路に沿って流体を引くファンユニットと、
前記ファンユニットに電力を供給するために前記ハンドルの第２の端部から延びるケーブルと、有し、
前記ケーブルから延びる少なくとも１つのワイヤが、前記ハンドルの壁に沿う経路に沿って配置され、
前記壁は、前記第１の端部から前記ハンドルに沿って延びる２つの半円筒部で形成され、前記２つの半円筒部は、長手方向縁部に沿って互いに当接して前記壁を形成し、前記ケーブルから延びる少なくとも１つのワイヤは、前記長手方向縁部内に収容され、
前記壁はチャンネルを有し、前記チャンネルは、前記少なくとも１つのワイヤを保持するように構成され、前記２つの半円筒部の一方に配置され、前記２つの半円筒部の長手方向縁部から半径方向に離間し、
前記少なくとも１つのワイヤは、前記長手方向縁部及び前記チャンネルの両方の中に収容される、電気器具。
【請求項２】
前記２つの半円筒部のうちの第１の半円筒部は、前記長手方向縁部に形成された凹部を有し、前記少なくとも１つのワイヤは前記凹部に収容される、請求項１に記載の電気器具。
【請求項３】
前記少なくとも１つのワイヤは２つのワイヤを含み、
前記２つの半円筒部のうちの第１の半円筒部は一対の前記凹部を有し、一対の前記凹部は、前記第１の半円筒部の各長手方向縁部に沿って配置され、一対の前記凹部はそれぞれ、前記２つのワイヤの各々を収容する、請求項２に記載の電気器具。
【請求項４】
前記少なくとも１つのワイヤは２つのワイヤを含み、
前記２つの半円筒部のうちの第２の半円筒部は、長手方向縁部内に形成された別の凹部を有し、前記凹部及び前記別の凹部はそれぞれ、前記２つのワイヤの各々を収容する、請求項２に記載の電気器具。
【請求項５】
前記別の凹部は、前記凹部から半径方向に離間して配置される、請求項４に記載の電気器具。
【請求項６】
前記別の凹部は、前記２つの半円筒部が互いに当接する場合に前記凹部に隣接する、請求項４に記載の電気器具。
【請求項７】
前記凹部は、少なくとも部分的に前記壁に沿って延びる、請求項２〜６のいずれか１項に記載の電気器具。
【請求項８】
前記別の凹部は、少なくとも部分的に前記壁に沿って延びる、請求項４〜６のいずれか１項に記載の電気器具。
【請求項９】
前記チャンネルは、前記ハンドルの長さ方向に部分的に延びる、請求項１に記載の電気器具。
【請求項１０】
前記チャンネルは、前記２つの半円筒部の一方の中心に配置され、前記２つの半円筒部の前記一方に沿って長手方向に延びる、請求項１に記載の電気器具。
【請求項１１】
前記ハンドルは端壁を有し、前記ケーブルは前記端壁を貫いて延びる、請求項１〜１０のいずれか１項に記載の電気器具。
【請求項１２】
前記ケーブルは、前記端壁内のほぼ中心に配置される、請求項１１に記載の電気器具。
【請求項１３】
前記ケーブルは、ケーブルガイド内に収容される、請求項１１に記載の電気器具。
【請求項１４】
前記ケーブルガイドは、前記ケーブルを包囲し、前記ケーブルを前記流体通路から隔絶する、請求項１３に記載の電気器具。
【請求項１５】
前記ケーブルガイドは２つの部分で形成される、請求項１３又は１４に記載の電気器具。
【請求項１６】
前記ケーブルガイドの第１の部分は、前記２つの半円筒部の一方と一体に形成される、請求項１５に記載の電気器具。
【請求項１７】
前記ケーブルガイドの第２の部分は、前記２つの半円筒部のうちの他方と一体に形成される、請求項１６に記載の電気器具。
【請求項１８】
前記ハンドルの壁は、プラスチック材料から成形される、請求項１〜１７のいずれか１項に記載の電気器具。
【請求項１９】
前記ハンドルは、前記ハンドルの壁の周りに延びる外壁を有する、請求項１〜１８のいずれか１項に記載の電気器具。
【請求項２０】
前記ファンユニットは、前記電気器具の前記ハンドル内に設けられる、請求項１〜１９のいずれか１項に記載の電気器具。
【請求項２１】
前記ファンユニットはモータ及びインペラを含む、請求項２０に記載の電気器具。
【請求項２２】
前記ファンユニットが前記ハンドル内に設けられ、前記チャンネルは、前記ファンユニットを収容する前記ハンドルの領域に設けられる、請求項１〜２１のいずれか１項に記載の電気器具。
【請求項２３】
手持ち式の電気器具であって、
本体と、
前記本体に連結された第１の端部、及び、流体入口を含む第２の端部を有するハンドルと、
前記流体入口から前記ハンドルの中を通って前記本体に向かう流体通路と、
前記ハンドル内に設けられ且つ前記流体通路に沿って流体を引くファンユニットと、
前記ファンユニットに電力を供給するために前記ハンドルの第２の端部から延びるケーブルと、を有し、
前記ケーブルから延びる少なくとも１つのワイヤが、前記ハンドルの壁に沿う経路に配置され、
前記壁は、前記第１の端部から前記ハンドルに沿って延びる２つの半円筒部で形成され、前記２つの半円筒部は、長手方向縁部に沿って互いに当接して前記壁を形成し、前記ケーブルから延びる少なくとも１つのワイヤは、前記長手方向縁部内に収容され、
前記壁はチャンネルを有し、前記チャンネルは、前記少なくとも１つのワイヤを保持するように構成され、前記２つの半円筒部の一方に配置され、前記２つの半円筒部の長手方向縁部から半径方向に離間し、
前記少なくとも１つのワイヤは、前記長手方向縁部及び前記チャンネルの両方の中に収容される、電気器具。
【請求項２４】
前記電気器具は整髪用電気器具である、請求項１〜２３のいずれか１項に記載の電気器具。
【請求項２５】
前記電気器具はヘアドライヤである、請求項２４に記載の電気器具。
【請求項２６】
前記電気器具はホットスタイリングブラシである、請求項２４に記載の電気器具。
【発明の詳細な説明】
【技術分野】
【０００１】
本発明は、手持ち式電気器具に関し、詳細にはヘアドライヤ等の整髪用電気器具に関する。
【背景技術】
【０００２】
一般に、流体を本体内へ引くモータ及びファンが設けられるが、流体は本体から流出する前に加熱することができる。モータは、ほこり又は毛髪のような異物により損傷し易いので、従来からブロワの流体吸入端にフィルタが設けられている。従来からかかる電気器具はノズルを有し、ノズルは、電気器具に対して取付け及び取外し可能であり、電気器具から出る流体流れの形状及び速度を変更する。かかるノズルは、その時点でのユーザの要求に応じて、電気器具の流出物を集中させるか又は拡散させるために使用することができる。
【０００３】
ファン及びヒータが機能するためには動力が必要であり、動力は、主電源ケーブル又は電気器具に取付けられたバッテリから内部ワイヤを経由して供給される。
【発明の概要】
【課題を解決するための手段】
【０００４】
第１の態様によれば、本発明は、少なくとも１つのワイヤをハウジング内に配線するためのデバイスを提供し、デバイスは、中央ハブと、前記中央ハブからハウジングに向かって延びる少なくとも１つのアームとを有し、少なくとも１つのアームは、少なくとも１つのワイヤを収容する。
【０００５】
好ましくは、ハウジングは、中央ハブよりも大きい直径のチューブである。
【０００６】
少なくとも１つのアームは、一対のアームを有することが好ましい。好ましくは、２つのワイヤを設け、一対のアームの各々１つが１つのワイヤを収容する。各ワイヤを収容するために１つのアームを設けること、例えば、４つのワイヤがあれば４つのアームを設けることが好ましい。
【０００７】
好ましくは、少なくとも１つのアームは対称である。好ましくは、少なくとも１つのアームは、断面及び／又は外形或いは輪郭が対称である。１つ以上のアームを設ける場合、アームの各々は、中央ハブの周りに対称に離間される。一対のアームを設ける場合、好ましくは、一対のアームの各々１つは、直径方向に離間される。好ましくは、一対のアームは対称である。一対のアームはＹ字形をなすことが好ましい。
【０００８】
好ましくは、少なくとも１つのアームは、少なくとも１つのワイヤを包囲して電気的に絶縁する。
【０００９】
少なくとも１つのワイヤは、ケーブルによってハウジングに配線されることが好ましい。好ましくは、ケーブルは、ハウジングの遠位端で電源に接続可能である。代替的に、ワイヤは、例えばバッテリ又は燃料電池などの内部電源から延びる。
【００１０】
好ましくは、中央ハブはケーブルを収容する。
【００１１】
デバイスは、プラスチック材料から成形することが好ましい。
【００１２】
好ましくは、デバイスは、第１の部分及び第２の部分から形成される。
【００１３】
第１の部分及び第２の部分は両方とも、少なくとも１つのアームの一部を構成することが好ましい。これにより、デバイスを組立てる際に、ワイヤ及び選択的なケーブルを第１の部分及び第２の部分の一方に対して位置決めし、その後、他方の部分によってこの位置に保持できるので、組立てが単純になる。
【００１４】
好ましくは、第１の部分及び第２の部分は両方とも、ハブの一部を構成する。これにより、デバイスを組立てる際に、ワイヤ及び選択的なケーブルを第１の部分及び第２の部分の一方に対して位置決めし、その後、他方の部分によってこの位置に保持できるので、組立てが単純になる。
【００１５】
ハウジングは、電気器具のハンドルであることが好ましい。
【００１６】
第２の態様によれば、本発明は手持ち式電気器具を提供し、かかる電気器具は、流体が流入する流体入口から流体が流出する流体出口までの流体通路を定めるチューブと、少なくとも１つのワイヤをチューブに配線するためのデバイスとを有し、デバイスは、中央ハブと、この中央ハブからチューブに向かって延びる少なくとも１つのアームとを有し、少なくとも１つのアームは、少なくとも１つのワイヤを収容する。
【００１７】
好ましくは、少なくとも１つのアームは、流体通路を横切って延びる。好ましくは、少なくとも１つのアームは断面が対称である。好ましくは、少なくとも１つのアームは、流体通路に対して対称に延びる。好ましくは、２つのアームが設けられ、各アームは対称である。２つ以上のアームがある場合、各アームは、好ましくは中央ハブの周りに均等に離間する。２つ以上のアームがある場合、各アームは、実質的に断面、長さ、及び流体通路内に露出する占有面積が同じである。従って、各アームの外形又は輪郭は同じである。これらの特徴の各々は、流体通路内でアームが引き起こす乱流を低減するので、圧力損失及び発生する騒音が最小になる。
【００１８】
好ましい実施形態では、２つのワイヤが存在し、少なくとも１つのアームは２つのアームを有し、１つのアームは各ワイヤを収容する。
【００１９】
一対のアームを設ける場合、２つのアームは、直径方向に離間することが好ましい。
【００２０】
少なくとも１つのアームは、好ましくは断面が対称である。従って、流体は、少なくとも１つのアームの各側面の周りを一様に流れる。これにより、乱流及び騒音を発生する可能性があるアームの周りの非対称な流れの形成が防止される。
【００２１】
一対のアームはＹ字形をなすことが好ましい。この形状には２つの利点があり、中央ハブからチューブまでワイヤが辿る経路が湾曲しているので、ワイヤがよじれる可能性が低く、これはケーブルに加わる何らかの力に対する軸方向の補強を可能にする。
【００２２】
中央ハブは、チューブのほぼ中央に配置されることが好ましい。
【００２３】
好ましくは、少なくとも１つのアームは、中央ハブからチューブの流体出口に向かって延びる。この実施形態では、少なくとも１つのアームは、流体通路内の流体の流れをたどる。
【００２４】
少なくとも１つのアームは、流体通路内に発生する流れ外乱及び乱流を最小にするように形作ることが好ましい。好ましくは、少なくとも１つのアームは、テーパする背面を有する。テーパする背面のテーパは、４５°から０°であることが好ましい。代替的に、少なくとも１つのアームは、対称な翼形断面を有する。これにより、少なくとも１つのアームの下流端での流れの剥離及び乱流の発生が軽減される。
【００２５】
好ましい実施形態では、デバイスは、中央ハブからチューブに向かって半径方向に延びる少なくとも１つの補強リブを有する。好ましくは、少なくとも１つの補強リブは、チューブの少なくとも一部に沿って軸方向に延びる。
【００２６】
１つ又はそれ以上の補強リブは、好ましくは少なくとも１つのアームから流体入口に向かって延びる。
【００２７】
少なくとも１つの補強リブは、チューブのフープ強度を向上させ、ケーブルがチューブに向かって曲がる際にチューブに伝達される応力を低減する。
【００２８】
好ましくは、少なくとも１つの補強リブは、チューブの流体入口に向かって湾曲している。補強リブは、チューブを構造的に支持する利点を有するが、流体入口の一部を塞ぐという逆効果もある。流体が流体入口に流入するのを阻止又は制限することを最小限にするために、リブの厚さは、入口に向かって減少している。補強リブは、アームから延びる場合、ケーブルの周りで形が変わる。
【００２９】
好ましくは、少なくとも１つのアームは、少なくとも１つのワイヤを包囲して電気的に絶縁する。
【００３０】
少なくとも１つのワイヤは、ケーブルによってハウジング内に配線されることが好ましい。好ましくは、ケーブルは、ハウジングの遠位端部で電源に接続可能である。
【００３１】
好ましくは、中央ハブはケーブルを収容する。
【００３２】
デバイスは、プラスチック材料から成形することが好ましい。
【００３３】
好ましくは、デバイスは、第１の部分及び第２の部分から形成される。第１の部分及び第２の部分は両方とも、少なくとも１つのアームの一部を構成することが好ましい。好ましくは、第１の部分及び第２の部分は両方とも、ハブの一部を構成する。
【００３４】
チューブは、少なくとも部分的にチューブに沿ってチューブの流体出口に向かって延びるワイヤガイドを有することが好ましい。
【００３５】
好ましくは、ワイヤガイドは、少なくとも１つのワイヤを流体通路から隔絶する。
【００３６】
少なくとも１つのアームはワイヤガイドと整列して、ワイヤがケーブルからデバイスを通ってチューブに沿う通路をもたらすことが好ましい。
【００３７】
好ましくは、チューブは電気器具のハンドルを有する。
【００３８】
第３の態様によれば、本発明は整髪用電気器具を提供し、かかる電気器具は、流体は流入する流体入口から流体が流出する流体出口までの流体通路を定めるチューブと、ワイヤをチューブに配線するためのデバイスとを有し、デバイスは、中央ハブと、前記中央ハブからチューブに向かって延びる少なくとも１つのアームとを有し、少なくとも１つのアームはワイヤを収容する。
【００３９】
好ましくは、電気器具はヘアドライヤである。好ましくは、チューブは電気器具のハンドルを有する。
【００４０】
第４の態様によれば、本発明は手持ち式電気器具を提供し、かかる電気器具は、本体と、本体に連結された第１の端部、及び、流体入口を有する第２の端部を有するハンドルと、流体入口からハンドルの中を通って本体に向かう流体通路と、流体通路に沿って流体を引くファンユニットと、ファンユニットに電力を供給するためにハンドルの第２の端部から延びるケーブルと有し、ケーブルから延びる少なくとも１つのワイヤは、ハンドルの壁に沿う経路に配置される。
【００４１】
好ましくは、ハンドルの壁は、ケーブルから延びる少なくとも１つのワイヤを収容するためにハンドルに沿って長手方向に延びる少なくとも１つの凹部を有する。この実施形態では、ケーブルは２つのワイヤを有するので、壁は、ハンドルに沿って長手方向に延びる２つの凹部を有し、１つの凹部は、ケーブルからの２つのワイヤの各々を収容することが好ましい。好ましくは、２つの凹部は、壁上でほぼ直径方向で反対側にある。
【００４２】
好ましくは、壁は、第１の端部からハンドルに沿って延びる２つの半円筒部から形成される。２つの半円筒部は、壁を形成するように長手方向縁部に沿って当接することが好ましい。
【００４３】
好ましくは、ケーブルからの少なくとも１つのワイヤは、長手方向縁部内に収容される。
【００４４】
２つの半円筒部のうちの第１の半円筒部は、長手方向縁部内に形成された凹部を有し、少なくとも１つのワイヤを凹部に収容することが好ましい。好ましくは、２つの半円筒部のうちの第１の半円筒部は一対の凹部を有し、１つの凹部は、２つの半円筒部のうちの第１の半円筒部の各長手方向縁部に沿って配置される。代替的に又は追加的に、２つの半円筒部のうちの第２の半円筒部は、長手方向縁部内に形成された少なくとも１つの別の凹部を有する。好ましくは、少なくとも１つの別の凹部は、凹部から半径方向に離間して配置される。代替的に、少なくとも１つの別の凹部は、２つの半円筒部が互いに当接する際に凹部に隣接する。
【００４５】
好ましくは、ハンドルは、端壁と、端壁から延びるケーブルとを有する。ケーブルは、端壁内のほぼ中心に配置されることが好ましい。
【００４６】
好ましくは、ケーブルは、ケーブルガイド内に収容される。ケーブルガイドは、ワイヤをハンドル内の経路に配置するための追加的な器具である。好ましくは、ケーブルガイドは、ケーブルを取り囲んでケーブルを流体通路から隔絶する。
【００４７】
ケーブルガイドは、ケーブルを収容するための中心円筒を有することが好ましい。好ましくは、ケーブルガイドは、ケーブルから延びる少なくとも１つのワイヤを壁へ案内するための少なくとも１つのアームをさらに有する。
【００４８】
少なくとも１つのアームは、流体通路内の流れの外乱が最小となるよう形作られることが好ましい。
【００４９】
好ましくは、少なくとも１つのアームは、テーパする背面を有する。代替的に、少なくとも１つのアームは、対称な翼形断面を有する。
【００５０】
少なくとも１つのアームは、中心円筒から内壁まで流体通路に沿って本体に向かって延びることが好ましい。好ましくは、ケーブルガイドは、ケーブルガイドの周りで半径方向に離間した２つのアームを含み、一方のアームはライブワイヤ（活線）を収容し、他方のアームはニュートラルワイヤ（中性線）を収容する。好ましくは、ケーブルガイドはＹ字形である。ケーブルガイドは、２つの部分で形成することが好ましい。好ましくは、ケーブルガイドの第１の部分は、２つの半円筒部のうちの第１の半円筒部と一体に形成する。ケーブルガイドの第２の部分は、２つの半円筒部のうちの第２の半円筒部と一体に形成することが好ましい。
【００５１】
好ましくは、ハンドルの壁は、プラスチック材料で成形される。
【００５２】
ハンドルは、壁の周りに延びる外壁を有することが好ましい。従って、ハンドルの壁は内壁である。
【００５３】
好ましくは、外壁のハンドル内にファンユニットが設けられる。
【００５４】
ファンユニットは、モータ及びインペラを含むことが好ましい。
【００５５】
少なくとも１つのワイヤは、ハンドルの少なくとも一部の長さにわたって凹部内に保持され、少なくとも１つのワイヤは、ハンドルの実質的に全長にわたって凹部内に保持されることができる。凹部、一対の凹部、及び少なくとも１つの別の凹部の何れかは、少なくとも部分的に壁に沿って延びる。
【００５６】
代替的に、少なくとも１つのワイヤは、部分的に凹部で保持され、部分的にチャンネルで保持される。チャンネルは、２つの半円筒部の長手方向縁部から半径方向に離間することが好ましい。従って、凹部を長手方向縁部に形成した実施形態では、チャンネルは、凹部から半径方向に離間する。チャンネルは、好ましくはハンドルの壁が形成される２つの半円筒部の一方の中心に設けられ、それに沿って長手方向に延びることが好ましい。チャンネルは、好ましくは、ファンユニットを収容するハンドルの領域内に設けられる。チャンネルを設ける１つの理由は、電気器具の組立てを容易にするためである。従って、少なくとも１つのワイヤは、チャンネル内に配置され、ファンユニット及びハウジングは、半円筒部内で少なくとも１つのワイヤの上に配置され、ワイヤをファンユニットの周りで適切な位置に保持し、少なくとも１つのワイヤは、次に壁内の凹部に沿ってケーブルに向かう経路に配置される。
【００５７】
第５の態様によれば、本発明は整髪用電気器具を提供し、かかる電気器具は、本体と、本体に連結された第１の端部、及び、流体入口を有する第２の端部を有するハンドルと、流体入口からハンドルを通って本体に向かう流体通路と、流体通路に沿って流体を引くファンユニットと、ファンユニットに電力を供給するためにハンドルの第２の端部から延びるケーブルとを有し、ケーブルから延びる少なくとも１つのワイヤは、ハンドルの壁に沿う経路に配置される。
【００５８】
好ましくは、整髪用電気器具は、ヘアドライヤ又はホットスタイルブラシである。
【００５９】
第６の態様によれば、本発明は手持ち式電気器具を提供し、かかる電気器具は、ダクト及びスイッチを有し、スイッチはユーザ操作可能なボタンと、電気接点と、プッシュロッドとを有し、ボタンはダクトの外面に収容され、電気接点はダクトの内面に収容され、プッシュロッドは物理的にボタンを電気接点に結合する。
【００６０】
好ましくは、ダクトは略円形であり、電気接点は、ボタンのほぼ直径方向反対側に収容される。
【００６１】
ダクトは、電気器具のハンドルであることが好ましい。
【００６２】
好ましくは、ダクトは内壁を有し、電気接点は内壁上に収容される。内壁は、ハンドルを通る流体通路を規定することが好ましい。
【００６３】
好ましくは、スイッチは、ダクトを横切り且つプッシュロッドを案内するための案内ロッドをさらに有する。案内ロッドは、ダクトの内壁の一部を形成し、少なくとも部分的にダクトを横切って延びることが好ましい。好ましくは、案内ロッドは、ダクトを横切って半径方向に延びる。案内ロッドは、少なくとも部分的に電気接点によって支持されることが好ましい。好ましくは、電気接点は、少なくとも部分的にダクトの内壁に組込まれる。
【００６４】
案内ロッドは、ダクトを横切り且つプッシュロッドを支持することが好ましい。
【００６５】
好ましくは、案内ロッドは、内壁から流体通路を横切って延びる。案内ロッドは、流体が流体通路に沿って流れる際に発生する乱流を軽減する形状とすることが好ましい。好ましくは、プッシュロッドは、略円筒形である。好ましくは、案内ロッドは開口を有し、プッシュロッドは開口を通って延びる。
【００６６】
案内ロッドは下流端部及び上流端部を有し、上流端部は丸いことが好ましい。好ましくは、案内ロッドは、下流端及び上流端を有し、下流端は尖っている。案内ロッドの下流端は、翼形とすること又はテーパする背面を描くことができ、こうすれば流体通路内での流れの剥離、乱流、及び騒音の発生が最小になる。
【００６７】
第７の態様によれば、本発明は整髪用電気器具を提供し、かかる電気器具は、ダクト及びスイッチを有し、スイッチはユーザ操作可能なボタンと、電気接点と、プッシュロッドとを有し、ボタンはダクトの外面に収容され、電気接点はダクトの内面に収容され、プッシュロッドは物理的にボタンを電気接点に結合する。
【００６８】
好ましくは、整髪用電気器具はヘアドライヤである。
【００６９】
第８の態様によれば、本発明は手持ち式電気器具を提供し、かかる電気器具は、本体と、ハンドルと、流体がハンドルに流入する流体入口から流体が本体から流出する流体出口に延びる流体通路と、バッフルとを有し、流体通路は非直線状であり、バッフルは流れを流体通路内に案内する。
【００７０】
好ましくは、流体通路は、ハンドル内で第１の方向に延び、本体内で第２の方向に延びる。
【００７１】
バッフルは、流れをハンドルと本体との間に案内するように設けることが好ましい。バッフルは、ハンドルから、本体内に規定された空間に延びることが好ましい。
【００７２】
好ましくは、ハンドルは、その内部に流体通路を規定する壁を有する。
【００７３】
好ましくは、バッフルは、壁の部分的な連続部を形成する。
【００７４】
本体及びハンドルは、第１の部分及び第２の部分として成形することが好ましい。好ましくは、バッフルは、ハンドル部分及び本体部分で形成される。ハンドル部分及びバッフルは、第１の部分の一部として成形することが好ましい。バッフルの本体部分は、第２の部分として成形することが好ましい。
【００７５】
好ましくは、バッフルの本体部分は本体内にハンドル壁の部分的な連続部を形成する。
【００７６】
好ましくは、バッフルのハンドル部分は、第１の部分の一部として成形する。バッフルの本体部分は、第２の部分の一部として形成することが好ましい。
【００７７】
好ましくは、本体は外壁を有し、ハンドルは壁を有し、各々は、少なくとも部分的に流体入口から流体出口への流体通路を規定する。電気器具の第１の部分は、ハンドルの壁の第１の部分を有することが好ましい。好ましくは、電気器具の第２の部分は、本体の外壁及びハンドルの壁の第２の部分を有する。好ましくは、第１の部分と第２の部分とを組み合わせると、完全な壁が完成する。ハンドルは、好ましくは流体入口の上流に位置付けられる。ハンドルは、壁を取り囲み流体入口を含む外壁を有することが好ましい。
【００７８】
バッフルは弓形又は弧状であることが好ましい。好ましくは、バッフルは、半径方向に弓形又は弧状である。
【００７９】
好ましくは、本体内の流体通路は、実質的にハンドル内の流体通路と直交する。
【００８０】
本体は、上流端及び下流端を有し、流体出口は、下流端又はその近くに配置することが好ましい。
【００８１】
好ましくは、ハンドルは、本体の上流端部に向かって配置される。
【００８２】
本体内にはハンドルと本体の上流端部との間にＰＣＢ（プリント回路基板）を設けることが好ましい。好ましくは、バッフルは、ハンドルから流れる流体とＰＣＢとの間の相互作用を低減する。
【００８３】
バッフルはスロットを含むことが好ましい。
【００８４】
好ましくは、ＰＣＢは、このＰＣＢからハンドルに配置した制御ボタンに延びる可撓性の延長部を有する。
【００８５】
可撓性の延長部は、バッフルのスロットを通って延びることが好ましい。
【００８６】
第９の態様によれば、本発明は整髪用電気器具を提供し、かかる電気器具は、本体と、ハンドルと、流体がハンドルに流入する流体入口から流体が本体から流出する流体出口に延びる流体通路と、バッフルとを有し、流体通路は非直線状であり、バッフルは、流れを流体通路内に案内する。
【００８７】
好ましくは、整髪用電気器具はヘアドライヤである。
【００８８】
本発明は、添付図面を参照して以下に例示的に説明される。
【図面の簡単な説明】
【００８９】
【図１】本発明による電気器具の断面図である。
【図２】本発明によるデバイスの斜視図である。
【図３】図２のデバイスの断面図である。
【図４ａ】図３のデバイスの平面図である。
【図４ｂ】ケーブル上の応力緩和部を詳細に示す。
【図５】本発明によるデバイスの斜視図である。
【図６】図５のデバイスのアームの断面図である。
【図７ａ】電気器具のハンドルの断面図である。
【図７ｂ】電気器具のハンドル内のデバイスの断面図である。
【図８ａ】電気器具のハンドルの内壁の断面図である。
【図８ｂ】電気器具のハンドルの内壁の断面図である。
【図９ａ】オン／オフスイッチの分解図である。
【図９ｂ】オン／オフスイッチの分解図である。
【図１０ａ】オン／オフスイッチの断面図である。
【図１０ｂ】オン／オフスイッチの断面図である。
【図１１ａ】オン／オフスイッチの後部等角投影図を示す。
【図１１ｂ】オン／オフスイッチの前部等角投影図を示す。
【図１２】電気器具のハンドルの部分の内部詳細を示す。
【発明を実施するための形態】
【００９０】
図１は、ヘアドライヤ１０を示し、ヘアドライヤ１０は、ハンドル２０と、本体３０を有する。ハンドル２０は、本体３０に連結された第１の端部２２と、本体３０から遠位の主流体入口４０を含む第２の端部２４を有する。ヘアドライヤ１０に、ケーブル５０を介して電力が供給される。へアドライヤ１０から遠い方のケーブル５０の端部に、プラグが設けられており（図示せず）、このプラグは、例えば主電源又はバッテリパックへの電気的接続部を構成する。
【００９１】
本体３０は、第１の端部３２及び第２の端部３４を有し、２つの部分を有すると考えられる。第１の端部３２から延びる第１の部分３６は、管状であり且つ略一定の直径のものであり、第２の端部３４から延びる第２の部分３８は、第１の部分３６に接合される。第２の部分３８は円錐形状であり、直径は、その長さ方向に沿って変化し、本体３０の第１の部分３６の直径から本体の第２の端部３４の直径に小さくなる。
【００９２】
ハンドル２０は、本体３０からハンドルの遠位端２４に延びる外壁２００を有する。ハンドルの遠位端２４のところで、端壁２１０が外壁２００を横切って延びる。ケーブル５０は、この端壁２１０を貫通してヘアドライヤに入る。ハンドル２０の主入口４０は、ハンドルの外壁２００の周りにそれに沿って延びる第１の開口４２と、ハンドル２０の端壁２１０を横切ると共にこれを貫いて延びる第２の開口４６とを有する。ケーブル５０は、端壁２１０のほぼ中央に位置し、ハンドル２０の中心から延びている。端壁２１０は、ハンドルの外壁２００及び内壁２２０に対して直交する。
【００９３】
ケーブル５０は、ハンドル２０の中心から延びることが好ましく、このことはユーザの手の中にあるハンドル２０の向きに関係なくヘアドライヤのバランスが保たれることを意味する。また、ユーザがハンドル２０上で自身の手の位置を動かしても、手が動いた際の手に対する位置は変わらないので、ケーブル５０から強く引っ張られることはない。ケーブルがオフセットしてハンドルの一方側に近くなると、ヘアドライヤの重量分布が向きに対して変化してユーザを悩ますことになる。
【００９４】
主入口４０の下流に、ファンユニット７０が設けられる。ファンユニット７０は、ファン及びモータを含む。ファンユニット７０は、主入口４０から流体を引き、流体は、主入口４０から本体３０に延びる流体通路４００を通って本体３０に向かい、ハンドル２０と本体３０との接合部９０のところで本体３０に入る。流体通路４００は、本体３０の中を通って本体の第２の端部３４に向かい、ヒータ８０を通り、主流体出口４４０まで延びており、主流体出口４４０のところで、ファンユニットが引いた流体を主流体通路４００から流出させる。主流体通路４００は直線状ではなく、ハンドル２０の中を第１の方向に流れ、本体３０の中を第１の方向と直交する第２の方向に流れる。
【００９５】
本体３０は、外壁３６０及びダクト３１０を含む。主流体通路４００は、ハンドル２０と本体３０の接合部９０から本体に沿って、外壁３６０とダクト３１０との間を本体３０の第２の端部にある主流体出口４４０へ向って延びる。
【００９６】
本体３０内には別の流体通路が設けられ、この流れは、ファンユニット又はヒータによって直接処理されないが、ファンユニットの作用によってヘアドライヤ内に引かれ、ヘアドライヤの中を通る一次流を生成する。この流体流れは、主流体通路４００を流れる流体によってヘアドライヤに取込まれる。
【００９７】
本体３０の第１の端部３２は流体入口３２０を含み、本体の第２の端部３４は流体出口３４０を含む。流体入口３２０及び流体出口３４０は両方とも、ダクト３１０によって少なくとも部分的に定められ、ダクト３１０は、本体３０の内壁であり、且つ、本体３０内を本体３０に沿って延びる。流体通路３００は、ダクト３１０内において流体入口３２０から流体出口３４０まで延びる。
【００９８】
内側ダクト３１０は、円錐形又はトランペット形部分３５０と、管状部分３１２から形成される。本体３０の第１の端部３２において、円錐形部分３５０は、管状部分３１２と外壁３６０との間に延びる。この円錐形部分３５０は、少なくとも部分的に流体入口３２０を定める。本体３０の第２の端部３４において、外壁３６０と管状部分３１２との間に間隙３７０が設けられ、この間隙３７０は、主流体出口４４０を定める。主流体出口４４０は、環状であり流体通路３００を包囲する。主流体出口４４０は内部にあってもよく、その場合、主流体通路４００は、本体３０内で流体通路３００と合流する。変形例として、主流体出口４４０は外部にあり、本体３０から流出する流体は、流体出口３４０のところで流体通路３００から出る流体と別に流出する。
【００９９】
ダクト３１０は、ヘアドライヤの外側からアクセスできるヘアドライヤの内壁である。従って、ダクト３１０はヘアドライヤの外壁でもある。ダクト３１０は、本体３０内の凹部に配置され、外壁３６０とダクト３１０の管状部分３１２との間を連結する円錐形部分３５０は、外壁３６０に対して角度付けされている。
【０１００】
ヘアドライヤ用の制御電子デバイスを含むＰＣＢ（プリント回路基板）７５は、本体３０の側壁３５０に且つ流体入口３２０の近くに配置される。ＰＣＢ７５は、リング形状であり、ダクト３１０と外壁３６０との間でダクト３１０を取巻いて延びる。ＰＣＢ７５は主流体通路４００と流体的に連通している。ＰＣＢ７５は、流体通路３００の周りに延び、ダクト３１０によって流体通路３００から隔離される。
【０１０１】
ＰＣＢ７５は、ヒータ８０の温度及びファンユニット７０の回転速度等のパラメータを制御する。ＰＣＢ７５は、内部配線（図示せず）によってヒータ８０、ファンユニット７０、及びケーブル５０に電気接続される。ＰＣＢ７５へ接続する制御ボタン６２、６４が設けられ、例えば、ユーザが様々な温度設定値及び流量を選択できるようになっている。
【０１０２】
使用時、流体は、ファンユニット７０の作用により主流体通路４００に引かれ、選択的にヒータ８０によって加熱され、主流体出口４４０から流出する。この処理された流れにより、流体入口３２０のところの流体が流体通路３００内に引きずられる。この流体は、処理流れと本体３０の第２の端部３４のところで合流する。従って、ファンユニット及びヒータによって処理された流体は、引きずられた流れによって増強される。
【０１０３】
図２〜図４及び図７ｂを参照すると、特にワイヤ１０２、１０４を配線するためのデバイス１００は、ケーブル５０及び一対のアーム１２０、１２２を収容する中央ハブ１１０を有し、アーム１２０、１２２は、中央ハブ１１０から電気器具１０のハンドル２０内の内壁２２０に向かうワイヤ１０２、１０４の経路を定めるようにワイヤ１０２、１０４を収容する。
【０１０４】
内壁２２０の直径は中央ハブ１１０の直径よりも大きいので、ワイヤ１０２、１０４は、アーム１２０、１２２と一緒に中央ハブ１１０から内壁２２０に向かって半径方向外向きに延びて略「Ｙ」字形のデバイス１００を形成する。
【０１０５】
内壁２２０は、流体通路内の乱流を低減して騒音を軽減するように形作られ、内壁２２０に孔があけられる。内壁２２０は、外壁２００から半径方向内向きに湾曲する下流端部２２２を有し、外壁２００と内壁２２０との間にライニング材２０２を配置する空間を恋性する。ライニング材２０２は、内壁２２０の孔４２２と一緒に、ハンドル２０内で発生した音及び／又は振動を吸収する。内壁２２０の下流端部２２２における湾曲は、流体入口４０から流れる流体を、ライニング材２０２が配置された狭い断面領域に案内する。
【０１０６】
デバイス１００は、流体入口４０から内壁２２０への流体流れの中心に位置する中央ハブ１１０を有する。中央ハブ１１０は、内壁２２０の下流端部２２２から間隔を置いて配置され、流体通路４００内を流れる流体への中央ハブ１１０の影響を低減する。中央ハブ１１０が外壁２００の下流端部２２２に隣接していると、流れ内に乱流と共に騒音が発生する。
【０１０７】
本実施例では、デバイス１００は２つの部分１００ａ、１００ｂから形成され、各々、中央ハブ１１０の半部及び２つのアーム１２０、１２２の各々の半部を構成する。従って、ケーブル５０は、２つの部分１００ａ、１００ｂ内の一方に置くことができ、ワイヤ１０２、１０４は、各アーム１２０、１２２の半部に配置することができ、その後、デバイス１００の他の部分を取付け、ケーブル５０を中央ハブ１１０内に固定し、ワイヤ１０２、１０４をそれぞれのアーム１２０、１２２内に固定する。
【０１０８】
さらに、内壁２２０は２つの部分２２０ａ、２２０ｂから形成され、好都合には、この２つの部分２２０ａ、２２０ｂは、デバイス１００の２つの部分１００ａ、１００ｂに対応し、これに整列する。従って、デバイス１００の第１の部分１００ａは、内壁２２０の第１の部分２２０ａに整列し、デバイスの第２の部分１００ｂは、内壁２２０の第２の部分２２０ｂに整列する。これにより、内壁２２０に収容された各部分の組立てが簡単になる。例えば、ファンユニット７０のような部分を内壁２２０の２つの部分のうちの１つの内部に配置し、ケーブル５０及びワイヤ１０２、１０４をデバイス１００の２つの部分のうちの対応する１つの内部に収容することができる。全ての部分が正確に整列される場合、内壁２２０及びデバイス１００の２つの部分は結合されてヘアドライヤ１０の内側ハンドル２６を形成することができる。
【０１０９】
内壁２２０の２つの部分２２０ａ、２２０ｂの各々は、一緒になってハンドル１０の中央チューブ又は内側ハンドル２６を形成する半円筒部である。デバイス１００の２つの部分１００ａ、１００ｂが半円筒部と整列するか又はこれに対応するように、２つの部分１００ａ、１００ｂは同じ半部として形成され、２つのアーム１２０、１２２は、中央ハブ１１０の周りで直径方向に離間して形成される。
【０１１０】
デバイス１００は、各々のアーム１２０、１２２が実質的に同じであり、ヘアドライヤ１０内で、内壁２２０の２つの部分２２０ａ、２２０ｂと整列するどちらの向きでも使用できるように形成される。
【０１１１】
ワイヤ１０２、１０４はアーム１２０、１２２内に収容され、アームは中空シェルとすることがきるが、代替的にアームを通過するワイヤを収容するようなった凹部を有する中実とすることができる。デバイスの２つの部分１００ａ、１００ｂの一方の内部に完全に両方の凹部を形成することができ、代替的に、２つの凹部の各々をデバイス１００の２つの部分１００ａ、１００ｂに分配することもできる。
【０１１２】
ハンドル２０は、一端２４にケーブル５０が通過する流体入口４０を有する。ケーブル５０はハンドル２０の略中心に配置されるので、デバイス１００の中央ハブ１１０は、同様にハンドル２０の中心又は中央に配置される。ヘアドライヤ１０の使用時、流体は、流体入口４０を通過し、デバイス１００を通って内壁２２０が規定する流体通路４００に流入する。
【０１１３】
デバイス１００のアーム１２０、１２２は、流体通路４００を横切って延びる。流れの何らかの非対称性を最小にするように、アーム１２０、１２２は対称である。ケーブル５０に加わる引っ張りに対して耐性を与えるように、アーム１２０、１２２は、中央ハブ１１０から内壁２２０に向かう際に流体入口４０から離れるように延びる。換言すれば、アーム１２０、１２２は、流体通路４００の流体出口４４０に向かって延びる。さらに、アーム１２０、１２２は、流れの外乱を最小とするように形作られる。アーム１２０、１２２は、下流端部１２４から最大半径まで湾曲し、その後、上流端部１２６に向かってテーパしている。アーム１２０、１２２はテーパする背面を有する。代替的に、両アームは、翼形断面から形成することができる。当業者であれば、これは流れの剥離及び／又は乱流の発生を最小にすることを目的としていることを理解できるはずである。この実施形態では、デバイス１００は、追加的に構造機能を有し、半径方向に離間した４つの支持ストラット１１２、１１４、１１６、１１８を有する。一対の支持ストラット１１４、１１８は、アーム１２０、１２２から流体入口４０に向かって延び、他方の対の支持ストラット１１２、１１６は、中央ハブ１１０からハンドル２０の外壁２００に向かって延びる。ハンドル２０の外壁２００は、本体３０から遠位端部２２２まで内壁２２０によって支持された薄いスリーブであるが、内壁２２０が流体入口４０まで延びていないので、外壁２００は、外壁２００の周囲でこれに沿って延びる第１のセットの開口４２の長さに沿って支持されない。４つの支持ストラット１１２、１１４、１１６、１１８は、デバイス１００の中央ハブ１１０から半径方向外向きに延び、外壁２００に接触すると共に、内壁２２０の遠位端２２２からハンドル２０の端部２４に向かって長手方向に延びている。
【０１１４】
支持ストラット１１２、１１４、１１６，１１８は板状であり、支持ストラット内の材料の量を低減して流体入口４０の第１の開口４２の妨害を最小にするために、丸い端部１２８を有する。支持ストラット１１２、１１４、１１６、１１８がハンドル２０の入口４０及びその周囲のフープ強度を向上させるので、支持ストラットは、ヘヤードライヤ１０が落下した場合に発生する可能性がある損傷を軽減する。さらに、支持ストラット１１２、１１４、１１６、１１８は、ケーブル５０がハンドル２０の方に曲がった場合でもハンドル２０が損傷するのを防止する。
【０１１５】
本実施例では、デバイス１００の２つの部分１００ａ、１００ｂは、ネジ孔１０６に挿入されるネジ１０８を用いてしっかり固定される。これには２つの主な機能があり、第１に、製造時及びその後の使用時におけるワイヤ１０２、１０４の配置間違えを防止すると共に潜在的にアーム１２０、１２２の各部分の間に挟み込まれるのを防止し、第２に、ケーブル５０に関する応力緩和部を形成する。
【０１１６】
ケーブル５０は、ハンドル２０の外部及びハンドル２０の内部でケーブルを包囲するオーバモールド５２を有する。デバイス１００の中央ハブ１１０は、ケーブル５０及びオーバモールド５２を収容するように構成される内部凹部５４を有する。内部凹部５４は、中央ハブ１１０から内部凹部５４に半径方向内向きに延びる複数の突起５６、５８、６０を有する。これらの突起５６、５８、６０は、オーバモールド５２の対応する凹部１３０（図１参照）に係合する。ネジを用いてオーバモールド５２をデバイス１００の２つの部分１００ａ、１００ｂを固定し、ケーブル５０をハンドル２０にしっかり取付けた場合、ケーブル５０は、引っ張られてもハンドル２０から外れることが阻止される。
【０１１７】
オーバモールド５２は２つの部分から形成され、一方の部分は、内部に配置されたプラスチック製オーバモールド５２ａであり、これはワイヤ１０２、１０４が個別にケーブル５０から突出するケーブル５０の端部に隣接して配置され、他方の部分は、ハンドル２０の外部でケーブル５０に沿ってプラスチック製オーバモールド５２ａまで延びるゴム製オーバモールド５２ｂである。ケーブルタイ４８は、オーバモールド５２の別々の部分を固定するために使用される。
【０１１８】
特に図７ａ、図８ａ、図８ｂ及び図９を参照すると、内壁２２０は、一対の凹部２２４、２２６を含み、本実施例では、一対の凹部２２４、２２６は、内壁２２０の第１の部分２２０ａの各縁部２２８、２３０に沿って配置される。一対の凹部２２４、２２６は、ケーブル５０からＰＣＢ７５に延びるワイヤ１０２、１０４を収容する。かくして、ワイヤ１０２、１０４は、ひっかかったり挟まれたりすることから保護され、流体の流れに何らかの外乱を引き起こすであろう場所である流体通路４００の外に安全に位置する。
【０１１９】
ケーブル５０は、ライブワイヤ１０４とニュートラルワイヤ１０２を含む。ニュートラルワイヤ１０２は、各ワイヤ１００を配線するデバイスから延びて一方の凹部２２６に至り、また、ライブワイヤ１０４は、各ワイヤ１００を配線するデバイスから延びて第２の凹部２２４に至る。両方の凹部２２４、２２６内で、ケーブル５０から延びるワイヤ１０４、１０２は、スペードコネクタ２３８、２３６を用いて電気器具の内部ライブワイヤ１０４’及び内部ニュートラルワイヤ１０２’に接続される。
【０１２０】
ファンユニット７０は、内壁２２０内、結果的にハンドル２０内にモータを長手方向に保持する２つの環状座部によって内壁２２０の内部に支持される。第１の環状座部２４２は、ファンユニット７０の上流端部に隣接して設けられ、第２の環状座部２４４は、ファンユニット７０の下流端部に隣接して設けられる。一対の凹部２２４、２２６は、ファンユニット７０を通過して延びてもよいが、本実施形態では、一対の凹部２２４、２２６は、第１の環状座部２４２に出会う部位で途切れている。内部ニュートラルワイヤ１０２’及び内部ライブワイヤ１０４’は、それぞれの凹部２２４、２２６から内壁２２０ａの周方向に延び、次いで、内壁２２０ａに形成された一対のチャンネル２４０に沿って長手方向に延びる経路に配置される。一対のチャンネル２４０は、第１の環状座部２４２を貫いて内壁２２０ａに沿って延び、第２の環状座部２４４を貫いて延びる。一対のチャンネル２４０は、内部ライブワイヤ１０４’及び内部ニュートラルワイヤ１０２’を受入れるように構成され、且つ、内部ライブワイヤ１０４’及び内部ニュートラルワイヤ１０２’をファンユニット７０の周りの適所に保持するように設計される。
【０１２１】
一対のチャンネル２４０の下流端２４０ｂは、第２の環状座部２４４からオン／オフスイッチ２５０の電気接点２５２まで延びるワイヤポケット２３２に通じている。ワイヤポケット２３２は、ライブワイヤ１０４を内部ライブワイヤ１０４’にスペードコネクタ２３６を介して接続し且つニュートラルワイヤ１０２を内部ニュートラルワイヤ１０４’にスペードコネクタ２３８を介して接続したときに電気器具の構造に起因して生じる内部ライブワイヤ１０４’及び内部ニュートラルワイヤのたるみに順応するように設計される。
【０１２２】
内部ライブワイヤ１０４’は、ヒータ８０へのオン／オフスイッチ２５０の電気接点２５２から安全スイッチ及びヒューズ（図示しない）を介してＰＣＢへ接続され、内部ニュートラルワイヤ１０２’は直接ＰＣＢ７５へ接続され、回路が完成する。ファンユニットのモータは、ワイヤ７２、７４（図１、図１０ｂ参照）を介してＰＣＢ７５へ電気接続される。
【０１２３】
特に図８ａ〜図１１ｂを参照すると、オン／オフスイッチ２５０は、ドライヤ１０の電源をオン又はオフするためにユーザが押圧するボタン６４ａと、電気接点２５２と、ボタン６４ａを電気接点２５２に物理的に連結するプッシュロッド２６０を含む。プッシュロッド２６０は、ユーザが操作可能なボタン６４ａに係合する第１の端部２５６と、電気接点２５２に係合する遠位端部２５８を有する。従って、ユーザがボタン６４ａを押圧すると、プッシュロッド２６０は、電気接点２５２に押付けられ、ヘアドライヤ１０をオンにしたりオフにしたりする。ボタン６４ａは、ハンドル２０の外壁２００の外面２４８に取付けられる。電気接点２５２は、ハンドル２０の内壁２２０の内面２４６のところに且つボタン６４ａの直径方向反対側に取付けられる。プッシュロッド２６０は、ハンドル２０の内側を横切って延び、且つ、ハンドル２０の中を流れる流体通路４００を横切って延びる。
【０１２４】
プッシュロッド２６０と電気接点２５２の相対的位置を維持するために、案内ロッド２７０が設けられる。案内ロッド２７０は、内壁２２０に取付けられた第１の端部２７２と、第１の端部２７２から遠位の第２の端部２７４を有している。プッシュロッド２６０は略円筒形であり、案内ロッド２７０を貫通する開口２６６を貫いて延びる。
【０１２５】
案内ロッド２７０は、プッシュロッド２６０を包囲し又はその周りに延びてプッシュロッド２６０を支持し、ボタン６４ａ及び電気接点２５２に対するプッシュロッド２６０の位置を維持する。案内ロッド２７０は、丸い上流端部２７６及び尖った下流端部２７８を有し、全体に涙形である。結果として得られる断面は、円形の上流端部及び三角形の下流端部を有する。
【０１２６】
戻りバネ２９０が、電気接点２５２とプッシュロッド２６０の間に設けられ、ボタン６４ａに電気接点２５２のオン位置及びオフ位置を表わす積極的な位置決めを付与する。
【０１２７】
流体通路４００は非直線状であり、ハンドル２０内で第１の方向に延び、本体３０内で第２の方向に延びる。ハンドル２０と本体３０との間の接合部９０に、バッフル３３０（図１０ａ）が設けられ、バッフル３３０は、２つの主な機能を有する。第１の機能は、騒音の低減であり、第２の機能は、ＰＣＢ７５からハンドル２０のボタン６４ａまでのデジタル接続部の経路を提供することである。
【０１２８】
流体は、流体入口４０からハンドル２０の内側に沿って流体通路４００の中を流れる。ハンドル２０と本体３０との間の接合部９０において、流体通路４００は約９０°向きを変える。ＰＣＢ７５の位置に起因して、流体通路４００内を流れる流体はＰＣＢと相互作用する傾向があり、乱流及び騒音を引き起こす。バッフル３３０は、流体が第１の端部３２に向かって分散すること及びＰＣＢ７５と直接相互作用することを少なくとも部分的に阻止するように設けられる。
【０１２９】
加えて、ＰＣＢ７５は、ダクト３１０と外壁３６０との間の本体３０内において前記本体３０の第１の端部３２に隣接して形成された空間に収容される。追加的に、バッフル３３０は、流体がハンドル２０から直接ＰＣＢ７５へ流れることを少なくとも部分的に阻止する。
【０１３０】
バッフル３３０は、弧状であり、ハンドル２０の内壁２２０の曲率を模して湾曲しており、スイッチ２５０から本体３０まで上向きに部分的に延びている。本実施形態では、バッフル３３０は、内壁２２０の第２の部分２２０ｂの長手方向縁部２８６、２８８とほぼ整列する外側縁３３０ａ、３３０ｂを有する。バッフル３３０は、ハンドル部分３２２及び本体部分３６２の２つの部分から形成される。ハンドル部分３２２は、内壁２２０の第２の部分２２０ｂと一緒に成形され、第２の部分２２０ｂを本体３０に向かって延長する。本体部分３６２は、本体３０の外壁３６０と一緒に成形され、バッフルを本体３０の空間へさらに延ばす。
【０１３１】
バッフル３３０は、ハンドル部分３２２に設けられたスロット３３２を含み、スロット３３２は、可撓性延長部３３４の形態のデジタル接続部におけるＰＣＢ７５とボタン６４ｂとの間の経路を定める。オン／オフボタン６４ａはアナログスイッチの一部であり、かかるスイッチは、例えば制御設定値を変更するか又は冷気発射（ｃｏｏｌ  ｓｈｏｔ）機能を提供するボタン６４ｂには不必要である。可撓性延長部３３４は、第１の端部３３６のところでＰＣＢ７５に接続され、バッフル３３０の流体流れ側において且つハンドル２０と本体３０の間の接合部９０の周りにおいて折曲げられ、かくして、可撓性延長部３３４は、流体通路４００内にあり、次いで、バッフル３３０のハンドル部分３２２に形成されたスロット３３２を通って、第２の端部３３８に向かってボタン６４ｂまで延びる。可撓性延長部３３４は、スロット３３２と第２の端部３３８の間において、ハンドル２０の内壁２２０と外壁２００の間に位置する。
【０１３２】
内壁２２０から直立した接続パイプ３２８が設けられており、可撓性延長部３３２の第２の端部３３８をボタン６４ｂの周りに配置する。ボタン６４ｂの周りで流体が流体通路４００から漏れるのを防止するために、ボタン６４ｂと可撓性延長部３３４との間にシール部材３４２が設けられている。
【０１３３】
ボタン６４ｂは２つの部分を有し、ハンドル２０から少し突出してユーザが押圧するキャップである第１の部分６８と、電気接点６６０を含む第２の部分６６である。ユーザが第１の部分６８を押圧すると、第２の部分６６が可撓性延長部３３４に向かって押され、第２の部分６６から延びる電気接点６６０が可撓性延長部３３４と電気接続する。
【０１３４】
ボタン６４ａ、６４ｂ及びそれらの関連部分を追加的に支持するために、中間壁パネル１６０が設けられており、これは６４ａ、６４ｂの周りでハンドルの内壁２２０ｂと外壁２００との間に配置される。中間壁パネル１６０は、プッシュロッド２６０及びボタン６４ｂの第２の部分６６をハンドル２０内に保持するように構成される。中間壁パネル１６０は、プッシュロッド２６０の第１の端部２５６が貫通して突出する第１の開口１６２を含む。フランジ２５６ａは、プッシュロッド２６０の第１の端部２５６の周りに延び、フランジ２５６ａの直径は第１の開口１６２よりも大きい。従って、フランジ２５６ａは、プッシュロッド２６０を中間壁パネル１６０内に保持する。
【０１３５】
内壁２２０ｂは開口２１８を含み、プッシュロッド２６０の遠位端部２５８はこれを通過できるが、第１の端部２５６は通過できない。ボタン６４ａを押すと、プッシュロッド２６０の第１の端部２５６が半径方向内向きに押されるが、半径方向移動の範囲は、内壁２２０ｂの開口２１８によって制限される。開口２１８及びフランジ２５６ａは、第１の端部２５６が所定量を超えて半径方向に移動するのを阻止する。これにより、電気接点に付与される過剰な力に対する保護、及びプッシュロッド２６０に支持が可能になる。
【０１３６】
中間壁パネル１６０は、ボタン６４ｂの第２の部分６６が貫通して突出する第２の開口１６４を有する。また、ボタン６４ｂの第２の部分６６は、第２の部分６６の周りに延びて直径が第２の開口１６４よりも大きいフランジ６６ａを有するので、中間壁パネル１６０と可撓性延長部３３４との間で適切な位置に保持される。内壁２２０ｂは、位置決めパイプ３２８によって可撓性延長部３３４を適切な位置に保持する。
【０１３７】
デバイス１００のアーム１２０、１２２及び／又は凹部２２６、２２８は、それらのそれぞれの閉じ込めたワイヤを包囲して、これらを流体通路から電気的に絶縁するようになっていることが好ましい。
【０１３８】
本体３０の外壁３６０及びハンドル２０の内壁２２０は、プラスチック材料から成形することが好ましい。適切なプラスチック材料としては、ポリカーボネート、ガス充填ＰＰＡ（ポリフタルアミド）、ＰＰＳ（ポリフェニレンサルファイド）、ＬＣＡＰ（液晶芳香族ポリマー）、又はＰＥＥＫ（ポリエーテルエーテルケトン）を挙げることができる。当業者であれば、この記載は網羅的ではなく他の材料を別の製造方法と共に使用できることを理解できるはずである。ハンドル２０の外壁２００は、複数の適切な材料のうちの任意のもので作ることができるが、アルミニウム、アルミニウム合金、鋼、又はステンレス鋼で作ることが好ましい。
【０１３９】
デバイス１００とハンドル２０の外壁２００とは一体に成形することができる。本体３０の外壁３６０、内壁の第１の部分２２０ａ、及びデバイスの第１の部分１００ａは、外壁２００の第２の部分２２０ｂと共に第１の部分として成形することが好ましく、デバイス１００の第２の部分１１０ｂは、電気器具の第２の部分として成形することが好ましい。バッフル３３０は、２つの部分として成形する必要はなく、代替的に電気器具の第１の部分又は第２の部分と一体成形することができる。
【０１４０】
前述の実施形態では、モータ及びファンは、電気器具のハンドル内に配置されるが、これは必須ではない。ダクト３００に別の流体通路を設ける必要はなく、円錐部３５０は、外壁３６０描く領域全体にわたって延びることができ、ダクト３００はファンユニットを収容するために使用されてもよい。
【０１４１】
本発明はヘアドライヤに関して詳しく説明したが、本発明は、流体を吸って、その流体の流出物を電気器具から移動させる任意の電気器具に適用可能である。
【０１４２】
電気器具は、ヒータと一緒に又はヒータなしで使用することができ、高速の流体流出物は乾燥効果をもたらすように作用する。
【０１４３】
電気器具を通って流れる流体は一般には空気であるが、異なる種類の気体の組合せとしてもよく、電気器具の性能又は対象物への電気器具の影響を改善する付属物を含むことができ、流出物は、例えば毛髪及びその毛髪のスタイリングをターゲットにしている。
【０１４４】
本発明は、前述の詳細な説明に限定されない。当業者には変形例が明らかである。
【符号の説明】
【０１４５】
１０  ヘアドライヤ
２０  ハンドル
２２  第１の端部
２４  第２の端部
３０  本体
４０  主流体入口
５０  ケーブル
７０  ファンユニット
１００  デバイス
１００ａ、１００ｂ  デバイスの２つの部分
１０２、１０４  ワイヤ
１１０  中央ハブ
２００  外壁
２１０  端壁
２２０  内壁
２２０ａ、２２０ｂ  半円筒部
２２４、２２６  凹部
２２８、２３０  縁部
２４０  チャンネル
４００  流体通路
【図１】
0006014947.tif 000002
【図２】
0006014947.tif 000003
【図３】
0006014947.tif 000004
【図４ａ】
0006014947.tif 000005
【図４ｂ】
0006014947.tif 000006
【図５】
0006014947.tif 000007
【図６】
0006014947.tif 000008
【図７ａ】
0006014947.tif 000009
【図７ｂ】
0006014947.tif 000010
【図８ａ】
0006014947.tif 000011
【図８ｂ】
0006014947.tif 000012
【図９ａ】
0006014947.tif 000013
【図９ｂ】
0006014947.tif 000014
【図１０ａ】
0006014947.tif 000015
【図１０ｂ】
0006014947.tif 000016
【図１１ａ】
0006014947.tif 000017
【図１１ｂ】
0006014947.tif 000018
【図１２】
0006014947.tif 000019